(57)【特許請求の範囲】
【請求項１】
本体の前端にペン先を設け、前記本体の内部に水吸収体を収容し、前記水吸収体の前端と前記ペン先の後端とを接続させ、前記水吸収体内に水を吸水補給可能に構成した水変色体用筆記具であって、前記本体の後部に、前記水吸収体の後端と外部とを連通させる連通孔を設け、前記ペン先から前記水吸収体内に水を吸水補給可能に構成し、前記本体の後部の連通孔から前記水吸収体内に水を吸水補給可能に構成したことを特徴とする水変色体用筆記具。
【請求項２】
本体の前端にペン先を設け、前記本体の内部に水吸収体を収容し、前記水吸収体の前端と前記ペン先の後端とを接続させ、前記水吸収体内に水を吸水補給可能に構成した水変色体用筆記具であって、前記本体の後部に、前記水吸収体の後端と外部とを連通させる連通孔を設け、前記ペン先から前記水吸収体内に水を吸水補給可能に構成し、前記本体の前部に、前記水吸収体の前端と外部と連通させる連通孔を設けたことを特徴とする水変色体用筆記具。
【発明の詳細な説明】
【０００１】
【発明の属する技術分野】
本発明は、水変色体用筆記具に関する。さらに詳細には、水変色体（即ち、水で筆記した上層の箇所のみが透明化し、下層の基材の着色層の色が現出し、水分蒸発により元の状態に戻る性質を有するものであって、例えば水筆紙等）に用いる筆記具に関する。尚、本発明において、「前」とはペン先側を指し、「後」とは尾栓側を指す。
【０００２】
【従来の技術】
従来の水変色体用筆記具において、例えば、実開昭５６−１９３８０号公報には、「筒状のペン軸先端部にペン先を突設し、後端部取付口に軟質プラスチック製の水タンクを装着すると共に上記ペン軸内に、吸水材を充填した吸水パイプを嵌挿して、水タンクの水分をペン先に供給し得るように連結してなる水筆紙用ペン。」が開示されている。
【０００３】
前記従来の水変色体用筆記具は、筆記時に、誤って水タンクに触れることにより、水タンクをペン軸の後端部から脱落させ、水を外部に漏出させたり、または、誤って水タンクに触れることにより、水タンク内部を加圧して過剰量の水を吸水材に供給し、ペン先から外部に水を漏出させるおそれがある。そのため、前記従来の構造のものは、子供（即ち幼児や児童）が扱うには不向きなものであった。
【０００４】
【発明が解決しようとする課題】
本発明は、前記従来の問題点を解決するものであって、外部に水を漏出させるおそれがなく、子供が扱いやすい水変色体用筆記具を提供しようとするものである。
【０００５】
【課題を解決するための手段】
〔１〕本発明は、本体２の前端にペン先３を設け、前記本体２の内部に水吸収体４を収容し、前記水吸収体４の前端と前記ペン先３の後端とを接続させ、前記水吸収体４内に水を吸水補給可能に構成した水変色体用筆記具１であって、前記本体２の後部に、前記水吸収体４の後端と外部とを連通させる連通孔５を設け、前記ペン先３から前記水吸収体４内に水を吸水補給可能に構成し、前記本体２の後部の連通孔５から前記水吸収体４内に水を吸水補給可能に構成したこと（請求項１）を要件とする。
【０００６】
（作用）本体２前部のペン先３から水を吸水補給する場合（図４参照）、ペン先３を水中に浸漬させると、ペン先３及び水吸収体４の毛細管力によって水吸収体４内に水が吸水補給される。その際、前記本体２後部の連通孔５は、水吸収体４と外気とを連通させる空気流通孔として機能するため、ペン先３から水吸収体４内に水が吸水補給されるに従い、水吸収体４内の空気が前記連通孔５から本体２外部に放出される。それにより、本体２内部の水吸収体４内と本体２外部との間で空気と水の円滑な交替を行うことができ、水吸収体４内と外気との圧力平衡が保たれ、水吸収体４内に円滑に水が吸水補給される。
【０００７】
従って、前記請求項１の水変色体用筆記具１は、ペン先３自体及び水吸収体４自体の毛細管力を利用して外部より水を水吸収体４内に吸水補給させる構成のため、水吸収体４に一定量以上の水を過剰に補給して外部に水を漏出させるおそれがない。また、従来のような着脱自在の補給手段（例えば水タンク等）を不要とするため、筆記使用時や水補給時に、誤って外部に水を漏出させるおそれがない。その結果、子供が扱いやすいものとなる。
【０００８】
【０００９】
（作用）本体２後部の連通孔５から水を吸水補給する場合（図５参照）、本体２後部を水中に浸漬させると、前記本体２後部の連通孔５を通って水吸収体４後端に水が接触し、水吸収体４の毛細管力によって水吸収体４内に水が吸水補給される。即ち、この場合、前記本体２後部の連通孔５は、水流通孔として機能する。また、この場合、前記ペン先３は、空気流通孔として機能し、連通孔５から水吸収体４内に水が吸水補給されるに従い、本体２内部の水吸収体４内の空気が前記ペン先３から（即ちペン先３の毛細間隙を通って）本体２外部に放出される。それにより、本体２内部の水吸収体４内と本体２外部との間で空気と水の円滑な交替を行うことができ、水吸収体４内と外気との圧力平衡が保たれ、水吸収体４内に円滑に水が吸水補給される。
【００１０】
また、前記請求項１の水変色体用筆記具は、前記水の補給方法（図４及び図５）以外にも、図示はしないが、本体２全体を水中に浸漬させ、ペン先３及び連通孔５から水を吸水補給すると同時にそこから空気を排出させ、水吸収体４に迅速に吸水補給することもできる。
【００１１】
前記請求項１の水変色体用筆記具１において、前記本体２の後部の連通孔５を外部に開口させる位置は、本体２の後部ならば、いずれであってもよいが、好ましくは、前記本体２の後部の連通孔５を前記水吸収体４の後端よりも後方位置で外部に開口させることが有効である。
【００１２】
それにより、本体２後部から水を吸水補給する場合（図５参照）、水中に本体２後部を浸漬させると、連通孔５から水吸収体４の後端に迅速に水を供給することができ、吸水補給の時間を短縮できる。
【００１３】
〔２〕本発明は、本体２の前端にペン先３を設け、前記本体２の内部に水吸収体４を収容し、前記水吸収体４の前端と前記ペン先３の後端とを接続させ、前記水吸収体４内に水を吸水補給可能に構成した水変色体用筆記具１であって、前記本体２の後部に、前記水吸収体４の後端と外部とを連通させる連通孔５を設け、前記ペン先３から前記水吸収体４内に水を吸水補給可能に構成し、前記本体２の前部に、前記水吸収体４の前端と外部と連通する連通孔６を設けること（請求項２）を要件とする。
【００１４】
（作用）本体２の前部から水を補給する場合（図４参照）、水中に本体２前部（即ちペン先３及び連通孔６）を浸漬させると、ペン先３から水が水吸収体４に吸水補給されると同時に、前記本体２前部の連通孔６からも本体２内に水が入り込み、水吸収体４の前部が本体２前部を水中に浸漬させた分だけ即座に水中に浸漬されるため、水吸収体４前部に直接補給することができ、吸水補給時間が短縮される。尚、前記連通孔６は、本体２の後部の連通孔５と同様、水吸収体４の前端よりも前方位置で外部に開口させることが好ましい。それにより、連通孔６から水吸収体４の前端に、より一層迅速に水を供給できる。
【００１５】
本体２後部より水を補給する場合（図５参照）、もし、ペン先３が水で濡れた状態にあると、外部より空気を本体２内部の水吸収体４内に取り込むことができないため、本体２後部から水吸収体４内に水を円滑に補給することができない。しかし、前記本体２前部に連通孔６を設けたことにより、ペン先３が水で濡れた状態にあっても、本体２内部と本体２外部とが前記連通孔６を通して空気流通可能となり、本体２内部の水吸収体４内と本体２外部との間で空気と水の円滑な交替を行うことができ、その結果、本体２後部から水を水吸収体４内に円滑に補給可能となる。
【００１６】
前記水変色体用筆記具１において、前記ペン先３及び前記水吸収体４が、繊維加工体または合成樹脂多孔質体からなり、前記ペン先３の毛細管力を前記水吸収体４の毛細管力よりも大きく設定したことが好ましい。
【００１７】
（作用）ペン先３の毛細管力が水吸収体４の毛細管力より大きいことにより、筆記使用時には、水吸収体４からペン先３前端まで水が円滑に供給され、水変色体への滑らかな筆記が可能となり、また、ペン先３側からの吸水補給時には、ペン先３の毛細管力により水吸収体４内に円滑に吸い上げ補給可能となる。また、前記ペン先３及び前記水吸収体４が、繊維加工体または合成樹脂多孔質体からなることにより、ペン先３及び水吸収体４の適正な毛細管力を有するための毛細間隙を容易に設定することができる。
【００１８】
尚、前記繊維加工体としては、繊維束の樹脂加工体、繊維束の熱融着加工体、フェルトの樹脂加工体、フェルトのニードルパンチ加工体等を挙げることができる。また、前記合成樹脂多孔質体としては、ポリオレフィン系、ポリウレタン系、その他各種の合成樹脂の連続気孔体等が挙げられる。
【００１９】
また、前記ペン先３及び前記水吸収体４は、繊維加工体若しくは合成樹脂多孔質体の単一の部材であったり、または、繊維加工体若しくは合成樹脂多孔質体の複数の部材を組み合わせたものであってもよい。
【００２０】
【００２１】
【００２２】
【発明の実施の形態】
本発明の実施の形態について図面に従って説明する。
【００２３】
（第１実施例）
図１乃至図６に本発明の第１実施例を示す。
本実施例の水変色体用筆記具１は、本体２と、該本体２の前端に固着されるペン先３と、該ペン先３後端と前端が接続され且つ本体２内部に収容される水吸収体４と、該水吸収体４の後端と当接し且つ本体２後端に固着される尾栓８とからなる。
【００２４】
前記本体２は、合成樹脂（例えばポリプロピレン等）の射出成形により得られる円筒体であり、前記本体２の前端開口部には、ペン先３がペン先保持部材７を介して圧入固着され、前記本体２の後端開口部には、尾栓８が圧入固着される。また、前記本体２内部には、水吸収体４が収容される。
【００２５】
前記ペン先３は、合成樹脂繊維の樹脂加工体（例えばアクリル繊維の棒状の樹脂加工体であって、前端を尖頭状またはドーム状に研削加工したもの）が採用される。また、前記水吸収体４は、繊維束加工体（例えば、ポリエステル繊維束等の合成樹脂繊維束の外周面を、合成樹脂フィルムで被覆したもの）が採用される。
【００２６】
前記本体２内部の前部には、軸方向に延びる複数本（具体的には４本）の縦リブ２１が一体に設けられる。前記縦リブ２１により、本体２内部に収容された水吸収体４の前部外周面が径方向内方に圧接保持される。また、前記縦リブ２１の径方向に水吸収体４を圧接保持する箇所よりも前方には、段部２１ａが形成され、前記段部２１ａにより水吸収体４の前端が軸方向に当接支持される。
【００２７】
前記尾栓８は、合成樹脂（例えばポリエチレン等）の射出成形により得られる円筒体である。前記尾栓８は、水吸収体４の後端と軸方向に当接する当接部８１と、該当接部８１と連設され且つ本体２後端開口部内面に圧入固着される圧入固着部８２と、該圧入固着部８２の後方に連設され且つ本体２後端と軸方向に当接する鍔部８３と、該鍔部８３の後方に連設され且つ本体２後端より突出される筒部８４とからなる。
【００２８】
前記当接部８１は、筒状の軸心突出部８１ａと、該軸心突出部８１ａと連設される放射状突出部８１ｂとからなり、前記軸心突出部８１ａ及び放射状突出部８１ｂにより水吸収体４の後端が軸方向に当接支持される。また、前記軸心突出部８１ａには、水吸収体４と外気とを連通する連通孔５（内径２ｍｍ〜５ｍｍ）が軸方向に貫設される。
【００２９】
前記尾栓８に連通孔５が貫設されているため、もし、子供が、前記尾栓８を前記本体２の後端開口部より取り外して、前記尾栓８を誤って飲み込んだとしても、前記連通孔５により、喉の内部で通気路を形成できるため、窒息事故を回避することができる。また、前記連通孔５は、本体２の軸心（即ち水吸収体４の軸心）に位置しているため、本体２後部からの吸水補給の際、水吸収体４後部に均一に水を吸収させることができる。
【００３０】
また、前記尾栓８内部は、前記連通孔５と連通し且つ後方に開口する凹部８５が形成される。それにより、本体２後部から水を補給する場合、本体２後部を水中に浸漬させると、前記凹部８５を通して連通孔５に迅速に水が誘導されるため、水吸収体４への吸水補給の時間を短縮できる。
【００３１】
前記ペン先保持部材７は、合成樹脂（例えばポリアセタール等）の射出成形により得られる筒状体である。前記ペン先保持部材７内部にはペン先取付孔７１が貫設され、前記ペン先取付孔７１には、前記ペン先３が圧入保持される。また、前記ペン先保持部材７の外面は、本体２の前端開口部内面に圧入固着される。また、前記ペン先保持部材７の外面には、軸方向の２本の縦溝７２が対向位置に設けられ、それにより、本体２の前端開口部内面に圧入固着された後、前記本体２の前端開口部内面とペン先保持部材７外面との間に連通孔６を形成することができる。
【００３２】
図４は、本実施例の本体２前部より水を補給する方法の一例を示すものである。本体２の外径より大きい内径を有する有底筒体よりなる容器１１の内部に、水１２を収容し、その水１２の中にペン先３を備えた本体２の前部（即ちペン先３及び連通孔６）を浸漬させると共に、本体２の後部（即ち連通孔５）を水面より外部に露出させる。その場合、ペン先３及び本体２前部の連通孔６から水が本体２内に浸入し、且つ本体２後部の連通孔５から本体２内（即ち水吸収体４内）の空気が外部に放出され、それにより、水吸収体４の前部が、本体２前部を水１２に浸漬させた深さ分だけ、即座に水中に浸漬される。そのため、短時間で、筆記に十分な量の水が、水吸収体４内に吸水補給される。
【００３３】
図５は、本実施例の本体２後部より水を補給する方法の一例を示すものである。図４同様の容器１１の内部に水１２を収容し、その水１２の中に本体２の後部（即ち連通孔５）を浸漬させると共に、本体２の前部（即ちペン先３及び連通孔６）を水面より外部に露出させる。その場合、尾栓８に設けた連通孔５から水が本体２内に浸入し、且つ本体２前部のペン先３（即ちペン先３の毛細間隙）及び連通孔６から本体２内（即ち水吸収体４内）の空気が外部に放出され、それにより、本体２後部を水１２の中に浸漬した深さ分だけ、即座に水吸収体４の後部が水１２の中に浸漬される。そのため、短時間で、筆記に十分な量の水が水吸収体４内に吸水補給される。
【００３４】
図６は、本実施例の水変色体用筆記具１の筆記使用状態を説明するものである。本体２内に水を補給した後の水変色体用筆記具１によって、水変色体１０（例えば水変色性布帛シート）の表面に筆記可能となる。筆記使用時、前記連通孔５及び連通孔６は、空気流通孔として機能し、筆記による水の消費に伴う本体２内部の圧力低下を防ぎ、ペン先３からの円滑な水の流出性を得る。
【００３５】
（第２実施例）
図７及び図８に第２実施例を示す。
本実施例は第１実施例の尾栓８の変形例であって、第１実施例と異なる点は、尾栓８の軸心に第１実施例のような連通孔５を設けることなく、尾栓８の圧入固着部８２外面及び鍔部８３前面に縦溝８６を設け、それにより、本体２後端開口部内面と尾栓８外面との間に連通孔５を形成した点、及び尾栓８の鍔部８３後方に第１実施例のような筒部８４が存在しない点にある。尚、他の構成は第１実施例同様であるため、その説明は省略する。
【００３６】
（第３実施例）
図９及び図１０に第３実施例を示す。
本実施例は第１実施例の尾栓８の変形例であって、第１実施例と異なる点は、本体の前端にペン先３を設け且つ尾栓８にペン先９を圧入保持した点〔即ち、本体２の両端に大きさまたは形状の異なるペン先（具体的にはペン先３及びペン先９）を有する両頭式筆記具とした点〕、及び凹部８５（即ちペン先取付孔）内面に縦溝８６を設けることにより、前記尾栓８の凹部８５内面とペン先９外面との間に連通孔５を形成した点にある。
【００３７】
前記尾栓８に設けたペン先９は、第１実施例同様、繊維の樹脂加工体であり、前端がチゼル状に研削加工されている。尚、他の構成は第１実施例同様であるため、その説明は省略する。
【００３８】
【発明の効果】
請求項１により、本体前部のペン先から水を吸水補給する場合、水吸収体内に水が吸水補給されるに従い、水吸収体内の空気が連通孔を通って本体外部に放出されるため、水吸収体内に円滑に水が吸水補給される。その結果、筆記使用時や水補給時に、誤って外部に水を漏出させるおそれがなく、子供が扱いやすいものとなる。
【００３９】
請求項１により、本体後部の連通孔から水を吸水補給する場合、水吸収体内に水が吸水補給されるに従い、本体内部の水吸収体内の空気がペン先を通って本体外部に放出されるため、水吸収体内に円滑に水が吸水補給される。その結果、筆記使用時や水補給時に、誤って外部に水を漏出させるおそれがなく、子供が扱いやすいものとなる。
【００４０】
【００４１】
請求項２により、本体の前部から水を補給する場合、本体前部を水中に浸漬した分だけ、即座に水吸収体の前部が水中に浸漬され、吸水補給時間を短縮できる。また、本体後部より水を補給する場合、ペン先が水で濡れた状態にあっても、本体内部と本体外部とが空気流通可能となり、本体後部から水を水吸収体に円滑に補給可能となる。
【００４２】
【００４３】
【図面の簡単な説明】
【図１】本発明の水変色体用筆記具の第１実施例を示す縦断面図である。
【図２】（ａ）は図１のＡ−Ａ線断面図、（ｂ）は図１のＢ−Ｂ線断面図、（ｃ）は図１のＣ−Ｃ線断面図である。
【図３】図１のペン先ユニット（即ちペン先とペン先保持部材の組立状態）の正面図である。
【図４】図１の本体前部からの吸水補給を示す説明図である。
【図５】図１の本体後部からの吸水補給を示す説明図である。
【図６】図１の筆記状態を示す斜視図である。
【図７】本発明の水変色体用筆記具の第２実施例を示す縦断面図である。
【図８】（ａ）は図７のＡ−Ａ線断面図、（ｂ）は図７のＢ−Ｂ線断面図、（ｃ）は図７のＣ−Ｃ線断面図である。
【図９】本発明の水変色体用筆記具の第３実施例を示す縦断面図である。
【図１０】（ａ）は図９のＡ−Ａ線断面図、（ｂ）は図９のＢ−Ｂ線断面図、（ｃ）は図９のＣ−Ｃ線断面図である。
【符号の説明】
１ 水変色体用筆記具
２ 本体
２１ 縦リブ
２１ａ 段部
３ ペン先（本体前端のペン先）
４ 水吸収体
５ 連通孔（本体後部の連通孔）
６ 連通孔（本体前部の連通孔）
７ ペン先保持部材
７１ ペン先取付孔
７２ 縦溝
８ 尾栓
８１ 当接部
８１ａ 軸心突出部
８１ｂ 放射状突出部
８２ 圧入固着部
８３ 鍔部
８４ 筒部
８５ 凹部
８６ 縦溝
９ ペン先（本体後端のペン先）
１０ 水変色体
１１ 容器
１２ 水
【図１】
0004132608.tif 000002
【図２】
0004132608.tif 000003
【図３】
0004132608.tif 000004
【図４】
0004132608.tif 000005
【図５】
0004132608.tif 000006
【図６】
0004132608.tif 000007
【図７】
0004132608.tif 000008
【図８】
0004132608.tif 000009
【図９】
0004132608.tif 000010
【図１０】
0004132608.tif 000011